(57)【特許請求の範囲】
【請求項１】
断面形状を大略逆Ｕ字形や長方形等の所望形状の空洞体の上部一側の高さを低くして魚の通路を形成して隔壁本体とし、この隔壁本体の前後下端部および両側周囲に係止孔を有するフランジや舌片等の固定部を突出形成し、川の床および側壁に設けたアンカーにそれら固定部をボルトによって固定して配置したことを特徴とする魚道。
【請求項２】
請求項１において、隔壁本体の外周面を耐磨耗性材製の保護材で被覆したことを特徴とする魚道。
【請求項３】
請求項１において、隔壁本体に底部を設けたことを特徴とする魚道。
【発明の詳細な説明】
【０００１】
【発明の属する技術分野】
本発明は、河川に設けられる魚道に関する。
【０００２】
【従来の技術】
さけ、ます、あゆ等の川魚が遡上する河川において、取水堰や床固め工等の河川を横切った構造物が設置される場合、その構造物の一部に川魚が遡上できる魚道を設けることが義務付けられている。
一般に多く採用されている魚道の形式としては、階段式魚道、斜路式魚道等があり、これら魚道は、流路内において流水と直交する方向に隔壁を設けて流水をせき止めて階段式のプールを形成する構造となっている。
【０００３】
例えば具体例として階段式魚道を図面を用いて説明すると、図１０は側断面図、図１１は平面図、図１２は隔壁の正面図を示し、各隔壁１８によってプール１９が階段状に形成され、それぞれの隔壁１８の一側に切欠きを設けて魚の通路２０が形成される。
このような魚道を施工する場合には、施工現場において型枠を組み立て、その中にコンクリートを流し込んで各隔壁を形成している。
【０００４】
【発明が解決しようとする課題】
このような従来技術によると、施工現場において、型枠を組み立て、コンクリートを打設し、さらにそれを養生しなければならず、魚道の施工には膨大な時間とコストとを要することになる。
また、このような魚道を施工する場所は交通が不便で険しい場所が多く、このような土木作業がしにくいという問題がある。
【０００５】
【課題を解決するための手段】
そこで本発明は、断面形状を大略逆Ｕ字形や長方形等の所望形状の空洞体の上部一側の高さを低くして魚の通路を形成して隔壁本体とし、この隔壁本体の前後下端部および両側周囲に係止孔を有するフランジや舌片等の固定部を突出形成し、川の床および側壁に設けたアンカーにそれら固定部をボルトによって固定して配置したことを特徴とする。
【０００６】
【発明の実施の形態】
以下に本発明の実施の形態を図面を用いて説明する。
図１は正面図、図２は平面図、図３は側面図であり、図において、１は隔壁本体であり、魚道を構成する隔壁を予め工場で製造し、現場に設置する構造である。
【０００７】
その構造は、材質によって多少異なるが基本的には同様である。材質はコンクリート、鉄等の金属、合成樹脂、複合材が考えられる。図示するものは金属製であり、断面形状が本実施の形態例では図４に示す如く、大略逆Ｕ字型の空洞体であり、下部長手方向両側に係止孔２を有するフランジや舌片等の固定部３を突出形成し、必要に応じては底部４も形成して補強されている。なお、断面形状はこれに限るものではなく、例えば台形、長方形もしくは図５に示す如く非対称形等どのような形状でもよく、また、上端部は曲面状でも平坦状でもよい。さらにこの空洞幅は使用する材料や使用箇所の条件等によって決定される。
【０００８】
また、必ずしも空洞体である必要もなく、中実の板状体でもよく、その厚さや断面形状はこれも上記同様に使用する材料、使用箇所の条件等によって決定される。
隔壁本体１の上部一側には高さを低くして魚の通路５を形成し、さらに、隔壁本体１の両側端外側に係止孔６を有するフランジや舌片等の固定部７が突出形成してある。
【０００９】
このようにした隔壁本体１の外周面を、図４に示す如く、ゴム、合成樹脂、ゴムアスファルト等の耐摩耗性材製の保護材８で被覆することにより、魚道に流れ込んだ石や礫等が隔壁本体１に衝突して隔壁本体を変形させたり破損したりすることを防いだり軽減させたりすることができる。なお、この保護材８の被覆に際しては、外周面全面出なくてもよく、図５に示す如く、水の流れが直接当たらない川下側面にはなくてもよい。
【００１０】
さらに、この保護材８は、図６に示す如く、ゴム、合成樹脂、ゴムアスファルト等の耐磨耗性材１３の中に、天然繊維、合成繊維、金属繊維もしくはそれらの混合繊維等の抵抗材１４を積層して埋設させた材料によると一層保護効果は大きい。
隔壁本体１内には、必要に応じて図１に示す如く金属板やコンクリート板等の補強材９を設けて形状の安定を図るとよい。さらには、図示しないがコンクリートや樹脂等の充填材を空洞内に充填して補強材９としても同様である。
【００１１】
このようにした隔壁本体１を、設置個所であるコクリートで形成されたり岩盤で形成されている川床１６および側壁１７に埋設してあるアンカーに下部の固定部３および端部外側の固定部７のそれぞれの係止孔２、６を合わせてボルト１１で固定する。
なお、この各係止孔２、６は、ボルト１１が各固定部表面より突出しないように図８に示す如くボルト１１頭部の高さ分程度へこませるか図９に示す如くボルト１１頭部を囲むようにスペーサ１５を周囲に配置する等してボルト１１頭部が露出しないようにして石や礫の衝突から保護する。
【００１２】
さらには、図７に示す如く、各固定部３、７を川床１６および側壁１７に形成した凹部に嵌めるように設置してアンカーによって固定し、さらにその各固定部３、７を保護するようにモルタル１２でふたをするようにして覆うことにより各固定部３、７の表面全面およびボルト１１を保護して石や礫の衝突から守り、固定部３、７やボルトの損傷を防ぐことができる。また、場合によってはボルト１１の周辺だけを覆うようにモルタル１２で被覆してもよい。なお、モルタル１２で被覆した場合に、このモルタル１２で覆われる部分の隔壁本体１の外周面部には保護材８の被覆を施さなくてもよい。
【００１３】
また、上記アンカーによる固定は、設置個所である川床および側壁にアンカーボルトを設置しておき、各係止孔２、６にそのアンカーボルトを通してナットで締め付けて固定する構造もまったく同じ概念である。
以上説明した隔壁本体はコンクリート製であるが、上記した如く、その材料は金属、合成樹脂または各種複合材等でもよいもので、その材質の違いにより、上記した如く、断面形状や各固定部の形状が異なる。その固定部は、例えば上記の如く、係止孔を形成する各独立した舌片が複数並んだ不連続状態等任意の構造である。いずれにせよ工場において予め成形された隔壁本体を現場において設置固定できる構造であればよい。
【００１４】
なお、上記の説明は魚道の隔壁について説明を行ったが、この隔壁本体を川の側壁として用いてもよく、川岸に沿って配置することにより側壁を形成することができる。
【００１５】
【発明の効果】
以上詳細に説明した本発明によると、上部一側に高さを低くして魚の通路を形成し、下部長手方向両側に固定部を突出形成すると共に両側端外側に固定部を突出形成して隔壁本体とし、その固定部を介して隔壁本体を現場の川の床および側壁に固定配置する構造としたことにより極めて短時間の現場施工でしかも低いコストで魚道を完成させることができるという効果がある。
【００１６】
また、設計通りの強度および耐久性のある魚道を確実に構築することができる効果を有する。
【図面の簡単な説明】
【図１】実施の形態例を示す正面図
【図２】平面図
【図３】側面図
【図４】隔壁本体の断面説明図
【図５】保護材の被覆状態を示す説明図
【図６】保護材の例を示す断面説明図
【図７】隔壁本体を設置した状態の説明図
【図８】ボルトの取り付け状態の説明図
【図９】ボルトの取り付け状態の説明図
【図１０】階段式魚道の側断面図
【図１１】平面図
【図１２】隔壁の正面図
【符号の説明】
１  隔壁本体
２  係止孔
３  固定部
４  底部
５  魚の通路
６  係止孔
７  固定部
８  保護材
９  補強材
１１  ボルト
【図１】
0004189940.tif 000002
【図２】
0004189940.tif 000003
【図３】
0004189940.tif 000004
【図４】
0004189940.tif 000005
【図５】
0004189940.tif 000006
【図６】
0004189940.tif 000007
【図７】
0004189940.tif 000008
【図８】
0004189940.tif 000009
【図９】
0004189940.tif 000010
【図１０】
0004189940.tif 000011
【図１１】
0004189940.tif 000012
【図１２】
0004189940.tif 000013